(57)【要約】【課題】大型のサイロを提供することが可能となる。【解決手段】収納部３２に回転可能に設けられた主軸４０が回転すると、主軸４０の回転に伴って複数の攪拌羽根５０、空気供給羽根６０及び補助供給羽根７０が回転し、収納部３２に空気を供給しつつ、収納物を攪拌する。このとき、主軸４０は、第一軸部４２、第二軸部４４及び第三軸部４６の３つの部材が連接されているため、主軸４０を移送しやすい。加えて、収納部３２の外側面は、外壁面の外側に断熱層が、断熱層の外側に遮熱層が、それぞれ設けられているため、収納部３２と外気温との温度差が大きい場合であっても、収納部３２内の温度を一定に保ちやすい。【選択図】図１
2019202791.tif 000002
【特許請求の範囲】
【請求項１】
収納部に収納された収納物を攪拌するサイロであって、
前記収納部に回転可能に設けられた主軸と、
前記主軸の回転に伴って回転する複数の攪拌羽根と、
を備え、
前記主軸は、第一軸部、第二軸部及び第三軸部が互いに連接されてなり、
前記収納部の外面側には、断熱材が設けられており、
前記断熱材の外側には、遮熱材が設けられていることを特徴とする、
サイロ。
【請求項２】
請求項１に記載のサイロにおいて、
前記第一軸部と螺合する第一連接板と、
前記第二軸部と螺合する第二連接板と、
を備え、
前記第一連接板に設けられた貫通孔及び前記第二連接板に設けられた貫通孔を貫通するネジによって前記第一軸部と前記第二軸部とが固定されていることを特徴とする、
サイロ。
【請求項３】
空気供給部から供給された空気を前記収納部に供給可能な貫通孔が回転方向に対して後方側に設けられた空気供給羽根と、
を備えたことを特徴とする、
請求項１又は２に記載のサイロ。
【請求項４】
請求項１から３のいずれか１項に記載のサイロにおいて、
前記主軸を回転する駆動部と、
を備え、
前記駆動部は、前記主軸の回転軸と略直角方向に伸縮し、両端部が球面軸受で支持される油圧シリンダを有することを特徴とする、
サイロ。
【発明の詳細な説明】
【技術分野】
【０００１】
本発明は、サイロに関する。
【背景技術】
【０００２】
従来、大型の減速機やモータを必要とせず、回転羽根を駆動することができるシンプルな構造のサイロの羽根駆動装置が知られている。例えば、特許文献１では、羽根主軸に大径のギヤ又はスプロケットを設け、駆動軸の小径のギヤ又はスプロケットとかみ合わせ、駆動軸は油圧モータによって揺動され、回転羽根を大きいトルクで回転させる回転羽根駆動装置が知られている。この回転羽根駆動装置では、油圧モータは逆転が容易であり、噛み込みトラブルが生じた場合にもトラブルの解消が行いやすい。
【先行技術文献】
【特許文献】
【０００３】
【特許文献１】特開平１１−２２７９４６号公報
【発明の概要】
【発明が解決しようとする課題】
【０００４】
ところで、近年、効率化の観点から、更に大型のサイロが求められている。
【０００５】
しかしながら、サイロを大型化した場合、大型化に伴って表面積が増大すると、外気温が低い場合に、収納部の温度が下がりやすくなるという課題がある。また、移送の際には、各部の部品が大型化することになるため、移送や設置の際の労力が大きいという課題がある。
【０００６】
本発明はこのような課題に鑑みなされたものであり、大型のサイロを提供することを主目的とする。
【課題を解決するための手段】
【０００７】
本発明は、上述の主目的を達成するために以下の手段を採った。
【０００８】
本発明のサイロは、
収納部に収納された収納物を攪拌するサイロであって、
前記収納部に回転可能に設けられた主軸と、
前記主軸の回転に伴って回転する複数の攪拌羽根と、
を備え、
前記主軸は、第一軸部、第二軸部及び第三軸部が互いに連接されてなり、
前記収納部の外面側には、断熱材が設けられており、
前記断熱材の外側には、遮熱材が設けられていることを特徴とする、
ものである。
【０００９】
本発明のサイロは、収納部に回転可能に設けられた主軸が回転すると、主軸の回転に伴って複数の攪拌羽根が回転し、収納部に収納された収納物を攪拌する。このとき、主軸は、第一軸部、第二軸部及び第三軸部が互いに連接されているため、主軸を搬送する際には、第一軸部、第二軸部及び第三軸部にそれぞれ分解して搬送することができる。言い換えると、サイロの大型化に伴い、主軸が大型化したとしても、搬送や設置時の労力を低減することができる。加えて、収納部の外側には断熱材が、断熱材の外側には遮熱材が設けられているため、収納部内と外部との温度差が大きい場合であっても、収納部内と外部との熱交換を低減することができる。特に、断熱材の更に外側に遮熱材が設けられているため、日光等が外壁に照射された際の熱を遮熱すると共に、遮熱材を介して内部に侵入する熱を断熱材が妨げることができるため、断熱材が遮熱材の外側に位置する場合と比較して、より効果的に熱の伝達を防ぐことができる。こうすることにより、サイロの保温性能を高めることができるため、サイロを大型化したとしても、収納部内の温度を保つことができる。
【００１０】
本発明のサイロは、前記第一軸部と螺合する第一連接板と、前記第二軸部と螺合する第二連接板と、を備え、前記第一連接板に設けられた貫通孔及び前記第二連接板に設けられた貫通孔を貫通するネジによって前記第一軸部と前記第二軸部とが固定されていることを特徴としてもよい。こうすることにより、第一軸部と第二軸部とを直線上かつ、強固に固定することにより、大型のサイロの収納部に収納された大量の収納物を主軸の回転により攪拌することができる。
【００１１】
本発明のサイロは、空気供給部から供給された空気を前記収納部に供給可能な貫通孔が回転方向に対して後方側に設けられた空気供給羽根と、を備えたことを特徴としてもよい。こうすることにより、サイロを大型化した場合であっても、収納部に空気供給部から空気を供給することができる。すなわち、サイロを大型化した場合には、収納部に収納される収納物も多くなり、収納部の下方側は、収納物の自重により押し固められることになる。このように収納物が押し固められた状態では、空気が押し固められた収納物によって遮られることになるが、回転羽根の回転方向に対して後方側に貫通孔を設けることにより、回転羽根の回転に伴って押し固められた収納物が攪拌され、空気を供給しやすい。
【００１２】
本発明のサイロは、前記主軸を回転する駆動部と、を備え、前記駆動部は、前記主軸の回転軸と略直角方向に伸縮し、両端部が球面軸受で支持される油圧シリンダを有することを特徴としてもよい。こうすることにより、第一軸部、第二軸部及び第三軸部を連接して主軸とする際の誤差等により、主軸の回転軸がわずかに傾いている場合であっても、油圧シリンダの両端部が球面軸受で支持されているため、主軸の回転軸の傾きに伴って油圧シリンダも傾くことで、主軸を回転させることができる。言い換えると、第一軸部、第二軸部及び第三軸部を連接する際に厳密な精度が要求されなくなるため、施工性を向上し、施行時の労力を低減することができる。
【図面の簡単な説明】
【００１３】
【図１】図１は、サイロ２０の構成の概略を示す側面側からみた説明図である。
【図２】図２は、攪拌羽根５０、空気供給羽根６０及び補助供給羽根７０の位置関係を説明するための上方側からみた説明図である。
【図３】図３は、第一連接板４７及び第二連接板４９の構成の概略を示す説明図である。
【図４】図４は、攪拌羽根５０の構成の概略を説明するための説明図である。
【図５】図５は、空気供給羽根６０の構成の概略を説明するための説明図である。
【図６】図６は、図１中のＡ部の拡大図である。
【図７】図７は、補助供給羽根７０の構成の概略を説明するための説明図である。
【図８】図８は、駆動部９０の構成の概略を説明するための説明図である。
【図９】図９は、駆動部９０の動きを説明するための説明図である。
【発明を実施するための形態】
【００１４】
次に、本発明の実施の形態の一例として、サイロ２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。
【００１５】
サイロ２０は、図１に示すように、上方側に収納物を収納する収納部３２を含む本体部３０と、収納部３２の底面を一部が貫通し、複数の攪拌羽根５０、空気供給羽根６０及び補助供給羽根７０が設けられた主軸４０と、主軸４０を下方から回転可能に軸受する軸受部８０と、主軸４０を回転させる駆動部９０と、を備えている。このサイロ２０では、駆動部９０によって主軸４０が回転し、主軸４０の回転に伴って主軸４０に設けられた後述する攪拌羽根５０、空気供給羽根６０及び補助供給羽根７０が回転することにより、収納部３２に収納された収納物を攪拌する。このとき、主軸４０は、第一軸部４２、第二軸部４４及び第三軸部４６が互いに連接しているため、サイロ２０を組み立てる前に移送する際、主軸４０が単一の部材である場合と比較して、移送部品を小型化することができるため、移送しやすい。付言すると、大型化しやすい。
【００１６】
本体部３０は、図１に示すように、収納物を収納する収納部３２を有し、収納部３２の底面を一部が貫通した主軸４０が軸受部８０により回転可能に支持されている。この収納部３２は、収納部３２の内壁面と外壁面との間には、内側から断熱材を有する断熱層及び遮熱材を有する遮熱層がそれぞれ形成されている。こうすることにより、収納部３２の温度と外気温との差が大きい場合であっても、収納部３２の温度変化を低減することができる。このとき、断熱層の外側に遮熱層が設けられているため、直射日光等の外部環境による影響を遮熱層で軽減でき、断熱層が外側に位置する場合と比較して、より収納部３２の温度変化を低減することができる。
【００１７】
主軸４０は、図１に示すように、第一軸部４２、第二軸部４４及び第三軸部４６が互いに連接されることで、略円柱形状の軸を形成する。具体的には、第一軸部４２の側面下部及び第二軸部４４の側面上部には、それぞれ螺旋溝が設けられており、後述する第一連接板４７と第一軸部４２とが螺合し、後述する第二連接板４９と第二軸部４４とが螺合した状態で、第一連接板４７と第二連接板４９とが４つのネジ４７ｃでそれぞれ固定されることにより、第一軸部４２と第二軸部４４とが連接される。このように、第一軸部４２と第一連接板４７、第二軸部４４と第二連接板４９を螺合させた状態で第一連接板４７と第二連接板４９とをネジを用いて固定することにより、第一軸部４２と第二軸部４４の外面に段差が生じる可能性を未然に低減し、直線上に連接することができる。また、第一連接板４７と第二連接板４９とが互いに当接する当接面が広いため、主軸４０を回転させた際に、第一軸部４２と第二軸部４４とが分解する可能性を未然に低減することができる。付言すると、主軸４０を移送する際には第一軸部４２、第二軸部４４及び第三軸部４６に分割して移送することができ、主軸４０が長大な場合であっても移送しやすく、また、互いに連接した際にも強固に固定されるため、多量の収納物が収納可能な大きさの収納部３２を有する場合であっても、攪拌羽根５０等を回転することができる。
【００１８】
ここで、第一連接板４７の構成について、図３を用いて更に詳しく説明する。第一連接板４７は、図３に示すように、中央に貫通孔４７ａを有する円板形状の部材であり、貫通孔４７ａを中心として、上下左右の位置に、それぞれ貫通するネジ孔４７ｂを備えている。また、中央の貫通孔４７ａの側面は、第一軸部４２と螺合可能な螺旋溝が設けられており、第一連接板４７は、第一軸部４２の外側側面下部の表面に設けられた螺旋溝と互いに螺合することができる。この状態で、第二軸部４４と螺合した第二連接板４９の上面と第一連接板４７の下面とを当接させ、ネジ孔４７ｂにそれぞれネジ４７ｃを挿入して、互いに固定する。こうすることにより、第一連接板４７と第二連接板４９とを強固に固定することができる。付言すると、第一連接板４７と第二連接板４９とを強固に固定することにより、第一軸部４２と第二軸部４４とを強固に固定することができる。なお、第二軸部４４と第三軸部４６については、第二軸部４４に螺合する第三連接板１４７と第三軸部４６に螺合する第四連接板１４９とにより、第一連接板４７と第二連接板４９と同様に連接されるため、ここでは説明を省略する。
【００１９】
また、主軸４０には、図１及び図２に示すように、上方側から第一攪拌羽根５０ａ、第二攪拌羽根５０ｂ、第三攪拌羽根５０ｃ、第四攪拌羽根５０ｄ、第一空気供給羽根６０ａ、第二空気供給羽根６０ｂ、第五攪拌羽根５０ｅ、第六攪拌羽根５０ｆ、第一補助供給羽根７０ａ、第二補助供給羽根７０ｂ、第三空気供給羽根６０ｃ、第四空気供給羽根６０ｄの順番に設けられており、主軸４０の内部には、中空の中空部４１が設けられている。この中空部４１は、図視しない空気供給部と図視しない配管で連接されており、図視しない空気供給部から空気が供給される。この主軸４０は、後述する駆動部９０によって時計回りに回転され、主軸４０の回転に伴って、攪拌羽根５０、空気供給羽根６０及び補助供給羽根７０が回転し、収納部３２に収納された収納物を攪拌される。
【００２０】
第一攪拌羽根５０ａ、第二攪拌羽根５０ｂ、第三攪拌羽根５０ｃ、第四攪拌羽根５０ｄ、第五攪拌羽根５０ｅ及び第六攪拌羽根５０ｆ（以下、「攪拌羽根５０」とも言う。）は、図４に示すように、主軸４０の回転方向側に上方が傾斜する傾斜面５２を有する羽根部材であり、攪拌羽根５０が収納物に埋まった状態で回転すると、この傾斜面に沿って上方向に収納物を押圧する。収納物は重力によって下方向に力がかかっているため、攪拌羽根５０で上方向に力を加えながら攪拌することで、収納物が重力によって押し固められる可能性を未然に低減することができる。
【００２１】
第一空気供給羽根６０ａ、第二空気供給羽根６０ｂ、第三空気供給羽根６０ｃ及び第四空気供給羽根６０ｄ（以下、「空気供給羽根６０」とも言う。）は、図５に示すように、主軸４０の回転方向側に上方が傾斜する傾斜面６２を有する断面が略直角三角形形状の羽根部材であり、攪拌羽根５０と同一の長さの羽根である。また、表面に位置する板状部材がそれぞれ溶接されることにより中空に形成されており、中空部４１（図６参照）から供給された空気が通過する中空管６４と、主軸４０の回転方向に対して後ろ側に複数の通風孔６６と、が設けられている。また、空気供給羽根６０の一端側は主軸４０の側面に溶接されており、主軸４０の側面に設けられた通風口４８を介して、主軸４０の中空部４１と中空管６４とが連接されており（図６参照）、中空部４１に供給された空気が通風口４８を介して中空管６４に供給される。そして、中空管６４に供給された空気は、複数の通風孔６６を介して収納部３２の内部に供給される。このとき、通風孔６６が空気供給羽根６０の回転方向に対して後方側に設けられているため、空気供給羽根６０の回転に伴って、収納部３２に収納された収納物が通風孔６６を通って空気供給羽根６０の内部に侵入する可能性を未然に低減することができる。また、空気供給羽根６０の回転方向に対して後方側は、空気供給羽根６０の回転の際に収納部３２に収納された収納物が攪拌された直後であるため、収納物が攪拌された状態であり、収納物と収納物との間に空気が入り込みやすい。なお、ここで、図５は、第一空気供給羽根６０の後方側及び断面を示す説明図であり、図６は、図１中のＡ部を拡大する拡大図である。
【００２２】
また、図２に示すように、第一攪拌羽根５０ａと第二攪拌羽根５０ｂ、第三攪拌羽根５０ｃと第四攪拌羽根５０ｄ、第五攪拌羽根５０ｅと第六攪拌羽根５０ｆ、第一空気供給羽根６０ａと第二空気供給羽根６０ｂ、第三空気供給羽根６０ｃと第四空気供給羽根６０ｄは、それぞれ主軸４０の対向する位置にそれぞれ対に設けられており、第一攪拌羽根５０ａは、上面視した際、第三攪拌羽根５０ｃよりも回転方向（時計回り方向）に主軸４０を中心として約３０°回転した位置に設けられている。同様に、第三攪拌羽根５０ｃは、第一空気供給羽根６０ａよりも回転方向に主軸４０を中心として約３０°回転した位置に、第一空気供給羽根６０ａは、第五攪拌羽根５０ｅよりも回転方向に主軸４０を中心として約３０°回転した位置に、第五攪拌羽根５０ｅは、第三空気供給羽根６０ｃよりも回転方向に主軸４０を中心として約３０°回転した位置に、それぞれ設けられている。こうすることにより、所定の間隔毎に配置されることになるため、主軸４０の回転に伴って、収納部３２に収納された収納物を均一に攪拌することができる。
【００２３】
第一補助供給羽根７０ａ及び第二補助供給羽根７０ｂ（以下、「補助供給羽根７０」とも言う。）は、主軸４０の対向する位置であって、第三空気供給羽根６０ｃ及び第四空気供給羽根６０ｄに対して、直上位置にそれぞれ設けられている。このとき、第一補助供給羽根７０ａは第三空気供給羽根６０ｃよりも回転方向（時計回り方向）に主軸４０を中心として約９０°回転した位置に、第二補助供給羽根７０ｂは第四空気供給羽根６０ｄよりも回転方向（時計回り方向）に主軸４０を中心として約９０°回転した位置に、それぞれ設けられている。
【００２４】
また、補助供給羽根７０は、図７に示すように、主軸４０の回転方向側に上方が傾斜する傾斜面７２を有する断面が略直角三角形形状の羽根状部材であり、空気供給羽根６０の長さの約半分以下の長さの羽根である。また、表面に位置する板状部材がそれぞれ溶接されることにより中空に形成されており、中空部４１（図６参照）から供給された空気が通過する中空管７４と、主軸４０の回転方向に対して後ろ側に複数の通風孔７６と、が設けられている。また、補助供給羽根７０の一端側は主軸４０の側面に溶接されており、主軸４０の側面に設けられた通風口４８を介して、主軸４０の中空部４１と補助供給羽根７０の内部（中空部）とが連接されており（図６参照）、中空部４１に供給された空気が通風口４８を介して補助供給羽根７０の内部に供給される。そして、補助供給羽根７０の内部に供給された空気は、複数の通風孔７６を介して収納部３２の内部に供給される。このとき、通風孔７６が補助供給羽根７０の回転方向に対して後方側に設けられているため、補助供給羽根７０の回転に伴って、収納部３２に収納された収納物が通風孔７６を通って補助供給羽根７０の内部に侵入する可能性を未然に低減することができる。また、補助供給羽根７０の回転方向に対して後方側は、補助供給羽根７０の回転の際に収納部３２に収納された収納物が攪拌された直後であるため、収納物が攪拌された状態であり、収納物と収納物との間に空気が入り込みやすい。なお、ここで、図７は、補助供給羽根７０の後方側及び断面を示す説明図である。
【００２５】
軸受部８０は、図１に示すように、主軸４０を下方から支える公知の軸受であり、主軸４０を支えることができるものであれば、種々のものを利用することができる。例えば、ボール軸受やボールベアリングのような玉軸受であってもよいし、円筒コロやローラーベアリングのようなころ軸受であってもよいし、すべり軸受や磁気軸受、流体軸受等であってもよい。
【００２６】
駆動部９０は、図８に示すように、主軸４０の側面に固定された歯車９２と一方方向に歯車９２の回転を規制する歯止め９４と、歯止め９４の両面側に位置する一対の回転板９５ａ及び９５ｂ（以下、「回転板９５」とも言う。）と、回転板９５にそれぞれ接続される油圧シリンダ９６ａ及び油圧シリンダ９６ｂ（以下、「油圧シリンダ９６」とも言う。）と、からなる、主軸４０を時計回り方向に回転するラチェット機構を有する油圧駆動装置である。この油圧シリンダ９６は、一方側が回転板９５と球面軸受け９７ａに軸受された連接軸９８ａを介して連接されており、他方側が球面軸受け９９ａに軸受けされた連接軸１００ａを介して本体部３０と連接されている。このように、油圧シリンダ９６の両端側が球面軸受け９７ａ及び球面軸受け９９ａで軸止されているため、第一軸部４２、第二軸部４４及び第三軸部４６を連接する際、厳密に直線上に位置しないこと等が原因として主軸４０の回転軸が傾いた場合であっても、主軸４０の回転軸の傾きに伴って油圧シリンダ９６が傾き、油圧シリンダ９６が傾いた状態で、球面軸受け９７ａ及び球面軸受け９９ａで軸止される。こうすることにより、主軸４０の回転軸に微少の傾きが発生した場合であっても、主軸４０を回転駆動することができる。
【００２７】
ここで、駆動部９０の動きについて、図９で更に詳しく説明する。ここで、図９は、駆動部９０の動作を説明するための説明図であり、図９（Ａ）は、油圧シリンダ９６ａが収縮した状態を、図９（Ｂ）は、油圧シリンダ９６ａが伸張した状態を、それぞれ示している。この駆動部９０は、油圧シリンダ９６ａの伸張と油圧シリンダ９６ｂの伸張とが同期されており、油圧シリンダ９６ａが伸張すると共に油圧シリンダ９６ｂが伸張すると、回転板９５が時計回りに回動し、回転板９５の回動に伴って、主軸４０及び歯車９２が回転する。このとき、歯車９２の方向に付勢されている歯止め９４は、歯車９２の傾斜に沿って移動することで歯車９２の回転を規制しない。一方、油圧シリンダ９６ａが収縮すると共に油圧シリンダ９６ｂが収縮すると、回転板９５が反時計回りに回動するが、歯車９２は歯止め９４が歯車９２を係止することで歯車９２が反時計回りに回転することを規制する。こうすることにより、油圧シリンダ９６が伸縮することで、主軸４０が時計回りに回転する。
【００２８】
また、油圧シリンダ９６ａの両端部は球面軸受９７ａ及び球面軸受９９ａに、油圧シリンダ９６ｂの両端部は球面軸受９７ｂ及び球面軸受９９ｂに、それぞれ支持された状態で位置決めされている。このため、噛み込みトラブル等が原因で主軸４０の回転軸が傾いた場合、主軸４０の回転軸の傾きに伴って油圧シリンダ９６が傾き、油圧シリンダ９６が傾いた状態で球面軸受９７及び球面軸受け９９に支持される。こうすることにより、油圧シリンダ９６の傾き、言い換えると、主軸４０の傾きを許容して球面軸受９７及び球面軸受９９が油圧シリンダ９６を支持することができるため、主軸４０の回転軸に微少の傾きが発生した場合であっても、主軸４０を回転することができる。
【００２９】
以上詳述した本実施の形態のサイロ２０によれば、収納部３２に回転可能に設けられた主軸４０が回転すると、主軸４０の回転に伴って複数の攪拌羽根５０、空気供給羽根６０及び補助供給羽根７０が回転し、収納部３２に空気を供給しつつ、収納物を攪拌する。このとき、主軸４０は、第一軸部４２、第二軸部４４及び第三軸部４６の３つの部材が連接されているため、主軸４０を移送しやすい。言い換えると、大型のサイロ２０を移送する際の労力を低減することができる。加えて、収納部３２の外側面は、外壁面の外側に断熱層が、断熱層の外側に遮熱層が、それぞれ設けられているため、収納部３２と外気温との温度差が大きい場合であっても、収納部３２内の温度を一定に保ちやすい。外気温の影響は収納部３２が大きければ大きいほど影響が大きくなるため、このような効果は、大型のサイロ２０に適用した場合に、効果が大きい。
【００３０】
また、第一軸部４２と螺合する第一連接板４７と第二軸部４４と螺合する第二連接板４９とが互いにネジ４７ｃで固定されることにより、第一軸部４２と第二軸部４４とが固定されているため、第一軸部４２と第二軸部４４とを強固に固定し、第一軸部４２の外壁面と第二軸部４４の外壁面とが平坦な状態で（すなわち、直線上に）固定することができる。こうすることにより、大型のサイロ２０であっても、駆動部９０の回転力により、攪拌羽根５０等を回転し、大量の収納物を攪拌することができる。
【００３１】
更に、空気供給羽根６０には通風孔６６が、補助供給羽根７０には通風孔７６が、それぞれ設けられているため、空気供給部から供給される空気を収納部３２に供給することができる。このとき、通風孔６６及び通風孔７６は、回転方向に対して後方側にそれぞれ設けられているため、収納部３２に収納された収納物が自重により押し固められた場合であっても、空気供給羽根６０及び補助供給羽根７０の回転によって解されるため、収納部３２に空気を供給しやすい。多くの収納物が収納される大型のサイロ２０であるほど、収納物が押し固められる可能性が高いため、大型のサイロ２０に適用した場合に効果が大きい。
【００３２】
更にまた、主軸４０を回転する油圧シリンダ９６の両端側が球面軸受９７ａ及び球面軸受９９ａで軸止されているため、第一軸部４２、第二軸部４４及び第三軸部４６を連接する際、厳密に直線上に位置しないこと等が原因として主軸４０の回転軸が傾いた場合であっても、主軸４０の回転軸の傾きに伴って油圧シリンダ９６が傾き、油圧シリンダ９６が傾いた状態で、球面軸受９７ａ及び球面軸受９９ａで軸止される。こうすることにより、複数の部材を連接させて主軸４０を形成した場合であっても、それぞれの部材の厳密な位置合わせを行うこと無く、主軸４０を回転駆動することができる。
【００３３】
なお、本発明は上述した実施形態に何ら限定されることはなく、本発明の技術的範囲に属する限り種々の態様で実施し得ることはいうまでもない。
【産業上の利用可能性】
【００３４】
上述した実施の形態で示すように、サイロ分野、特に、大型のサイロとして利用することができる。
【符号の説明】
【００３５】
２０…サイロ、３０…本体部、３２…収納部、４０…主軸、４１…中空部、４２…第一軸部、４４…第二軸部、４６…第三軸部、４７…第一連接板、４７ａ…貫通孔、４７ｂ…ネジ孔、４７ｃ…ネジ、４８…通風口、４９…第二連接板、４９ａ…貫通孔、５０…攪拌羽根、５０ａ…第一攪拌羽根、５０ｂ…第二攪拌羽根、５０ｃ…第三攪拌羽根、５０ｄ…第四攪拌羽根、５０ｅ…第五攪拌羽根、５０ｆ…第六攪拌羽根、５２…傾斜面、６０…空気供給羽根、６０ａ…第一空気供給羽根、６０ｂ…第二空気供給羽根、６０ｃ…第三空気供給羽根、６０ｄ…第四空気供給羽根、６２…傾斜面、６４…中空管、６６…通風孔、７０…補助供給羽根、７０ａ…第一補助供給羽根、７０ｂ…第二補助供給羽根、７２…傾斜面、７４…中空管、７６…通風孔、８０…軸受部、９０…駆動部、９２…歯車、９５…回転板、９５ａ…回転板、９５ｂ…回転板、９６…油圧シリンダ、９６ａ…油圧シリンダ、９６ｂ…油圧シリンダ、９７…歯止め、９７ａ…球面軸受、９７ｂ…球面軸受、９８ａ…連接軸、９９…球面軸受、９９ａ…球面軸受、９９ｂ…球面軸受、１００ａ…連接軸、１４７…第三連接板、１４９…第四連接板。
【図１】
2019202791.tif 000003
【図２】
2019202791.tif 000004
【図３】
2019202791.tif 000005
【図４】
2019202791.tif 000006
【図５】
2019202791.tif 000007
【図６】
2019202791.tif 000008
【図７】
2019202791.tif 000009
【図８】
2019202791.tif 000010
【図９】
2019202791.tif 000011